(57)【特許請求の範囲】
【請求項１】
ディスクをその主面と平行な方向に出し入れ可能な挿入部を有し、ディスクマガジンに対して出し入れ可能に収容されたディスクホルダにおいて、
前記挿入部側の端部には、該端部が前記ディスクマガジンから引き出された際に、弾性部材により開く方向に付勢されたガイド部材が設けられ、
前記ガイド部材は、前記ディスクマガジン内に収容された際に、前記ディスクマガジン内における他のディスクホルダ若しくは前記ディスクマガジン内に当接して、前記挿入部を狭める当接部を有することを特徴とするディスクホルダ。
【請求項２】
前記弾性部材は、前記ガイド部材の全部又は一部を構成していることを特徴とする請求項１記載のディスクホルダ。
【請求項３】
請求項１又は請求項２記載のディスクホルダと、前記ディスクホルダから引き出された前記ディスク内の情報の再生又は記録を行う再生手段又は記録手段とを備えたディスク装置において、
前記再生手段又は前記記録手段により再生中又は記録中の前記ディスクの端部と前記ディスクホルダの挿入部側の端部とが重なり合う位置に、前記ディスクホルダが位置決め可能に設けられていることを特徴とするディスク装置。
【請求項４】
前記ディスクの端部と重なり合う前記ディスクホルダの端部には、薄肉で形成されたガイド片が設けられていることを特徴とする請求項３記載のディスク装置。
【発明の詳細な説明】
【０００１】
【発明の属する技術分野】
本発明は、ディスクホルダからディスクを引き出して記録再生を行うディスク装置及びこのディスク装置に使用されるディスクホルダに係り、特に、ディスクの挿入部に改良を施したディスクホルダ及びディスク装置に関する。
【０００２】
【従来の技術】
近年、ディスク等の記録媒体の記録再生を行うディスク装置は、様々なものが普及しているが、記録再生部に対して水平方向にディスクをローディングするものとしては、トレイ型とホルダ型とが知られている。トレイ型は、ディスク装置の前面からせり出してくるディスクトレイにディスクを乗せて、このディスクトレイが装置内に戻されることによって、記録再生部へのディスクの搬送が行われるものである。ホルダ型は、ディスクをその周囲から保持したディスクホルダをあらかじめディスク装置に装填しておき、ディスク装置内部の機構によってディスクホルダ内からディスクが引き出され、記録再生部へのディスク搬送が行われるものである。
【０００３】
上記のホルダ型に使用されるディスクホルダは、トレー型に使用されるディスクトレイと比較すると薄型化できる利点があるため、ディスク装置の小形化を実現できるとともに、複数枚のディスクを装填するオートチェンジャタイプのディスク装置に適している。このオートチェンジャタイプのディスク装置は、記録再生するディスクを交換するために、ユーザーがディスクの出し入れを一枚づつ行う必要がないので便利である。
【０００４】
このようなディスク装置として、一般的に使用されているものが、複数枚のディスクホルダを重層的に収納できるディスクマガジンを備えたディスク装置である。このディスク装置は、ディスクマガジンと、このディスクマガジンを着脱可能な装着部と、ディスクホルダを搬送する搬送部、ピックアップ、ターンテーブル、クランパー等を備えた記録再生部とを備えている。装着部に装着されるディスクマガジンは箱型であり、その左右の内側面には水平方向に複数条の溝が形成されている。そして、この溝には、ディスクを個別に収容したディスクホルダの両端が挿入されているので、ディスクマガジン内にはディスクホルダが多数積層されるように収容されている。このように積層して収容された個々のディスクホルダは、その一端側にディスクをその主面と平行な方向（水平方向）に挿入、排出可能な挿入部を有するとともに、ディスクマガジンに対して、該ディスクの挿入、排出方向と同方向に、出し入れ可能に設けられている。
【０００５】
以上のようなディスク装置において、ディスクの記録再生を行う際には、まず、装着部にディスクマガジンを装着する。そして、記録又は再生指示されたディスクを保持しているディスクホルダが、搬送部によって記録再生部側に引き出され、ターンテーブルとクランパーによって該ディスクが挟持（クランプ）される。その後、ディスクホルダのみが、搬送部によって、該ディスクを排出しながらディスクマガジン内に戻され、ピックアップによって該ディスクの記録再生が行われる。
【０００６】
さらに、別のディスクの記録再生を行う場合やディスクマガジンを装着部から取り外す際には、再び空きディスクホルダを記録再生部側に水平方向に移動してターンテーブルに保持されているディスクを挿入部から収納する。そして、ディスクのクランプが解かれた後、該ディスクを収納したディスクホルダがディスクマガジンに戻され、別のディスクの記録再生が上記と同様の手順で行われるか、若しくはディスクマガジンの取り外しが行われる。
【０００７】
【発明が解決しようとする課題】
しかしながら、上記のようなディスク装置には、以下のような改良すべき点があった。すなわち、上記のように、ターンテーブル上に保持されたディスクをディスクマガジン内に戻す際には、ディスクホルダが水平方向に移動して、その挿入部からディスクホルダ内にディスクを収納する。このディスクホルダは、ディスクマガジンの左右の内側面の溝に挿入されているが、ディスクマガジンの薄型化やディスクホルダ内のディスクの振動防止を考慮すると、溝は狭く形成する必要があるため、ディスクホルダへのディスク挿入に要求される位置精度は高い。しかし、ディスクがターンテーブルに正確に保持されていない場合や、ディスク自体が変形している場合には、ディスクの側面とディスクホルダの挿入部との高さのズレが発生する。このようなズレが生じると、ディスク端部がディスクホルダの挿入部側の端部にぶつかったり、ディスクをディスクホルダ内に収納できなくなる可能性がある。
【０００８】
これに対処するため、ディスクホルダの挿入部の間口を広げれば、上記のようなズレによる誤差が吸収でき、不具合が生じる可能性を減少させることができる。しかし、このように挿入部の間口を広げると、個々のディスクホルダの高さ方向の厚みが出る。すると、ディスクホルダを内部に多数積層して収容するディスクホルダを、高さ方向に大きくする必要があり、結果としてディスク装置全体の大型化を招く。
【０００９】
本発明は、以上のような従来技術の問題点を解決するために提案されたものであり、その目的は、装置を大型化することなく、再生又は記録位置にあるディスクを確実にディスクホルダに戻すことができるディスク装置を提供することである。
【００１０】
また、ディスク挿入を確実に行うことができ、ディスク装置が大型にならないディスホルダを提供することである。
【００１１】
【課題を解決するための手段】
上記のような問題点を解決するために、請求項１記載の発明は、ディスクをその主面と平行な方向に出し入れ可能な挿入部を有し、ディスクマガジンに対して出し入れ可能に収容されたディスクホルダにおいて、前記挿入部側の端部には、該端部が前記ディスクマガジンから引き出された際に、弾性部材により開く方向に付勢されたガイド部材が設けられ、前記ガイド部材は、前記ディスクマガジン内に収容された際に、前記ディスクマガジン内における他のディスクホルダ若しくは前記ディスクマガジン内に当接して、前記挿入部を狭める当接部を有することを特徴とする。
【００１２】
請求項２記載の発明は、請求項１記載のディスクホルダにおいて、前記弾性部材は、前記ガイド部材の全部又は一部を構成していることを特徴とする。
【００１３】
以上のような請求項１及び２記載の発明では、再生手段又は記録手段に保持されたディスクをマガジン内に戻す際に、ディスクホルダがディスクマガジンから引き出されると、ガイド部材が開き、挿入部の間口が広がる。従って、ディスク端部と挿入部との高さズレが生じた場合でも、挿入部の広がりによってズレによる誤差が吸収でき、ディスクを確実に挿入することができる。また、ディスクホルダがディスクマガジンに収納されると、ガイド部材が閉じて、挿入部の間口が狭まる。従って、個々のディスクホルダが厚くならず、これらのディスクホルダを内部に収容するディスクホルダを大きくする必要はないので、結果としてディスク装置全体の大型化を防ぐことができる。
【００１４】
また、ディスクホルダがディスクマガジン内に収容された際に、当接部によって挿入部が狭まるので、この当接部によってディスクホルダ内のディスクの飛び出しが防止される。さらに、ガイド部材が弾性部材によって付勢されているので、ガイド部材の開閉がその弾性力によって自動的に行われる。
【００１５】
請求項３記載の発明は、請求項１又は請求項２記載のディスクホルダと、前記ディスクホルダから引き出された前記ディスク内の情報の再生又は記録を行う再生手段又は記録手段とを備えたディスク装置において、前記再生手段又は前記記録手段により再生中又は記録中の前記ディスクの端部と前記ディスクホルダの挿入部側の端部とが重なり合う位置に、前記ディスクホルダが位置決め可能に設けられていることを特徴とする。
【００１６】
以上のような請求項３記載の発明では、再生又は記録中のディスクの端部と、ディスクホルダの端部とが重なり合っているので、ディスクが挿入部から完全に離れてしまうことがない。従って、ディスク端部と挿入部との高さズレが生じた場合でも、ディスクの端部が挿入部側の端部と接触して規制され、挿入部から外れることが防止されるので、ディスクをディスクホルダ内に戻す際には、確実に挿入することができる。
【００１７】
請求項４記載の発明は、請求項３記載のディスク装置において、前記ディスクの端部と重なり合う前記ディスクホルダの端部には、薄肉で形成されたガイド片が設けられていることを特徴とする。
【００１８】
以上のような請求項４記載の発明では、ディスクの端部と重なり合うディスクホルダの端部が薄肉のガイド片となっているので、挿入部の間口が広がり、再生中又は記録中のディスクの端部とディスクホルダ端部との接触が生じにくい。
【００１９】
【発明の実施の形態】
本発明の実施の形態を、図面に従って以下に説明する。なお、以下の実施の形態におけるディスク装置は、搭載されたディスクを回転させるターンテーブル、ターンテーブルとの間でディスクを挟持して保持するクランパー及びディスク内の信号を検出するピックアップ等からなる再生装置、ディスクマガジンとターンテーブルとの間のディスクホルダの搬送を行う搬送機構、ユーザーの所定のボタン操作等によって各構成部分へ動作指示を与え制御する制御回路等の電子回路、ディスクマガジンの装着部及びディスクマガジンの排出機構等を備えているが、いずれも種々の公知技術によって構成可能なものであり、その説明と図示は簡略化若しくは省略する。
【００２０】
（１）第１の実施の形態
請求項１及び請求項２記載の発明に対応する一つの実施の形態を第１の実施の形態として、図１〜図１１に従って以下に説明する。
【００２１】
（構成）
まず、本実施の形態の構成を説明する。すなわち、図１及び図２に示すように、箱状のディスクマガジン１の左右の内側面には、水平方向に複数条の溝１ｃが形成されている。この溝１ｃに、ディスクホルダ２の両端が挿入されることにより、ディスクマガジン１の内部にディスクホルダ２が多数積層して収納されている。ディスクマガジン１の一側面側（図１における右側）は開口部１ａとなっていて、この開口部１ａから、個々のディスクホルダ２が水平方向に出し入れ自在に設けられている。
【００２２】
ディスクホルダ２は、ディスク３を一枚づつ保持可能な薄板状の部材であり、これらのディスクホルダ２の一端側（図１における右側）からは、ディスク３がその主面と平行な方向に出し入れ可能な構成となっている。このディスクホルダ２におけるディスク３の挿入部の先端には、図１に示すように、他の部分よりも薄肉で形成されたガイド片２ａが形成されている。
【００２３】
また、ディスクホルダ２には、図３に示すように、収容されたディスク３の中心まで達する略Ｖ字形又は略Ｕ字形の切欠部２ｅが形成されている。そして、ディスクホルダ２の両脇（図２における上下）には、断面がコの字状で、挿入されたディスク３を把持する把持部２ｂが設けられ、奥側（図２における左側）には、ディスク３が当接する円弧状の隆起であるストッパ２ｃが形成されている。
【００２４】
このディスクホルダー２は、ディスク３の上面を切欠部２ｅを有する平板で覆い、下側は把持部２ｂを除いてディスク３の下面を解放した形状となっており、ガイド片１０もディスクホルダー２の平板側に設けられている。これは、本実施の形態においては、後述するように、ターンテーブルとクランパーとの間にディスク３を挟持（クランプ）する構成となっており、このクランプを外す際に、ディスク３が上側に移動しやすく、ディスクホルダー２の平板によってこの外れを防止するためである。また、ディスク３の記録面は図１における下面側となっているので、ディスク３の上面がディスクホルダー２の平板に接触しても記録面が傷つくことがないからである。
【００２５】
さらに、ディスクマガジン１における開口部１ａとは反対側面の内部には、ディスクホルダ２の収容数に応じた略Ｃ字形のクリップ部１ｂが設けられている。そして、ディスクホルダ２におけるクリップ部１ｂに対応する位置には、クリップ部１ｂの先端が係合するくびれ部分を有する房状の被係合部２ｄが形成されている。
【００２６】
以上のようなディスクホルダ２を収容したディスクマガジン１は、図４に示すように、その開口部１ａ側からディスク装置の筐体６の装着部６ａへ挿入し、筐体６内に装着される構成となっている。この筐体６内には、ディスク３を上下から挟持可能に構成されたターンテーブル７及びクランパー８が設けられている。このターンテーブル７及びクランパー８は、図示しない駆動機構によって、昇降可能に設けられるとともに、その近傍にはピックアップ等のディスク再生に必要な部材が配設されている。なお、図４、図７及び図８に示すターンテーブル７及びクランパー８のディスクマガジン１及び筐体６に対する相対的な大きさは、実際よりも大きく記載されている。
【００２７】
さらに、筐体６に装着されたディスクマガジン１内のディスクホルダ２は、搬送機構によってターンテーブル７との間を移動可能に設けられている。この搬送機構は、図５及び図６に示すように、水平方向のラック９ａが形成された長方形状のプレート９を有し、個々のディスクホルダ２の高さに応じて、図示しない駆動機構によって昇降可能に設けられている。そして、このプレート９は、そのラック９ａに、図示しないモータのピニオンが係合することにより、水平方向に移動可能に設けられている。さらに、プレート９の端部には、爪部９ｂが形成されている。この爪部９ｂは、図３に示すように、ディスクホルダ２の挿入部側の端部に形成されたコの字状のフック２ｆに係合可能な形状となっている。
【００２８】
このような搬送機構によって、ディスクホルダ２は、図７に示すように、ターンテーブル７まで搬送され、図８に示すように、ディスク３がクランパー８とターンテーブル７とに挟持（クランプ）された後、ディスク３を残して空きディスクホルダ２がディスクマガジン１に戻される。このとき、ターンテーブル７側に保持されたディスク３の端部とガイド片２ａとが、非接触で重なり合う（以下、オーバーラップと言う）位置に位置決め可能に設定されている。
【００２９】
（作用）
以上のような構成を有する本実施の形態の作用を、図１〜図１０及び図１１のフローチャートに従って以下に説明する。まず、ユーザーは、ディスクマガジン１内の個々のディスクホルダ２に、ストッパ２ｃに当接するまでディスク３を挿入した後、図４に示すように、ディスク装置の筐体６にディスクマガジン１を装着する（ステップ１１０１）。すると、ディスク装置の回路においてディスクマガジン１内のディスク３がどのディスクホルダ２に収容されているかがチェックされる（ステップ１１０２）。そして、ユーザーが、所望のディスク３を選択し、ディスク装置の再生ボタンを押すと、ディスク３の再生指示がなされる（ステップ１１０３）。
【００３０】
すると、図３に示すように、選択されたディスク３を収容したディスクホルダ２に合わせて搬送機構のプレート９及びターンテーブル７等の再生装置が昇降し、プレート９の爪部９ｂが該ディスクホルダ２のフック２ｆに係合する。そして、モータにより回転するピニオンによって、プレート９がターンテーブル７側に移動すると、図７及び図９に示すように、ディスクホルダ２がターンテーブル７側に引き出され（ステップ１１０４）、ディスクホルダ２の切欠部２ｅによって露出したディスク３の中心部分がターンテーブル７に乗せられた後、ターンテーブル７とクランパー８によってディスク３が挟持（クランプ）される（ステップ１１０５）。
【００３１】
そして、図８に示すように、引き出されたディスクホルダ２は、ディスク３をターンテーブル７に残したまま、搬送機構によってディスクマガジン１側に引き戻されるので（ステップ１１０６）、ディスクホルダ２内からディスク３が相対的に引き出される。但し、ディスクホルダ２は、ディスクマガジン１内に完全に引き戻されるのではなく、図８及び図１０に示すように、ターンテーブル７上のディスク３の端部とガイド片２ａとが、オーバーラップした状態で位置決めされる。
【００３２】
このような状態で、ターンテーブル７上のディスク３の再生が行われるが（ステップ１１０７）、ガイド片２ａは薄肉で形成されているので、再生中のディスク３との接触は生じない。再生終了後、ユーザーから別のディスク３が選択され、再生ボタンが押されると、その再生指示がなされる（ステップ１１０８）。すると、ターンテーブル７上のディスク３の端部とガイド片２ａとがオーバーラップした状態で待機していた空きディスクホルダ２が、再びターンテーブル７側に引き出され（ステップ１１０９）、再生終了したディスク３が、引き出された空きディスクホルダ２に挿入される（ステップ１１１０）。
【００３３】
このとき、ディスク３端部とガイド片２ａとはオーバーラップしているので、ターンテーブル７上のディスク３に変形や位置ズレが生じた場合であっても、その端部のズレがガイド片２ａに接触することによって規制される。このため、ディスク３の端部が挿入部から外れることはない。また、ガイド片２ａは薄肉で形成されているので、挿入部の間口が広がり、ディスク３との接触の発生は最小限に抑えることができる。
【００３４】
ディスク３がディスクホルダ２に完全に収容された後、ターンテーブルのクランプが解放され、搬送機構によって、ディスクホルダ２はそのクリップ部１ｂが被係合部２ｄに係合するまでディスクマガジン１側に引き戻される（ステップ１１１１）。その後、新たに選択されたディスク３が収容されたディスクホルダ２が引き出され（ステップ１１０４）、上記と同様の手順によってディスク３の再生が行われる（ステップ１１０５〜１１０７）。
【００３５】
さらに、ユーザーによってディスクマガジン排出ボタンが押されると、ディスク装置の回路にディスクマガジンの排出指示がなされる（ステップ１１１２）。すると、ターンテーブル７上のディスク３端部とガイド片２ａとがオーバーラップした状態で待機していた空きディスクホルダ２が、搬送機構によって、再びターンテーブル７側に引き出され（ステップ１１１３）、再生終了したディスク３が、引き出されたディスクホルダ２に挿入される（ステップ１１１４）。
【００３６】
以上のようにディスク３がディスクホルダ２に完全に収容された後、ターンテーブルのクランプが解放され、搬送機構によってディスクホルダ２はそのクリップ部１ｂが被係合部２ｄに係合するまでディスクマガジン１側に引き戻される（ステップ１１１５）。その後、排出機構によって、ディスクマガジン１がディスク装置から排出される（ステップ１１１６）。
【００３７】
（効果）
以上のような本実施の形態の効果は、以下の通りである。すなわち、ターンテーブル上のディスク３に位置ズレが生じた場合であっても、ディスク３の端部が挿入部から外れることはなく、ディスク３を確実にディスクホルダ２に戻すことができる。従って、ディスク３が外れて装置内部に接触することによる破損等の事態が防止されるとともに、ディスク装置の信頼性が向上する。
【００３８】
特に、ガイド片２ａが薄肉となっているので、挿入部分の間口が広くなり、これにオーバーラップしている再生中のディスク３の端部が接触して傷つくことが防止されるとともに、ディスク３の回転が規制される事態が生じにくいので、音飛び等の再生不良が防止でき、ディスク装置の信頼性が高まる。
【００３９】
（２）第２の実施の形態
請求項３〜６記載の発明に対応する一つの実施の形態を第２の実施の形態として、図１２及び図１３に従って以下に説明する。なお、上記第１の実施の形態と同様の部材は同一の符号を付して説明を省略する。
【００４０】
（構成）
まず、本実施の形態の構成を説明する。すなわち、図１２に示すように、ディスクホルダ４には、第１の実施の形態におけるディスクホルダ２と同様に、ディスク３の中心まで達する切欠部４ｅが形成されるとともに、ディスク３の把持部４ｂ、ストッパ４ｃ及びフック４ｆが形成されている。
【００４１】
そして、把持部４ｂにおけるディスク３が挿入される挿入部４ａには、ガイド部材５が取り付けられている。このガイド部材５は、図１３に示すように、先端に当接部５ａが設けられ、弾性部材５ｂによって外方（図中の下方）に開く方向に付勢されている。そして、ガイド部材５は、ディスクホルダ４がディスクマガジン１に収容された状態のときには、その当接部５ａが、ディスクマガジン１の左右の内側面に形成された溝１ｃ（図１３及び図２に示す）か、若しくは他のディスクホルダ４の上面に当接するので、内方（図１３中の上方）に狭まり、ディスク３の端部を保持する構成となっている。
【００４２】
（作用）
以上のような本実施の形態の作用は、以下の通りである。なお、上記第１の実施の形態と同様の手順については、説明を省略する。すなわち、ターンテーブル上のディスク３の再生が行われた後、他のディスク３の再生指示がなされた場合又はディスクマガジン１の排出指示がなされた場合、搬送機構によって空きディスクホルダ４がターンテーブル７側に引き出され、再生終了したディスク３が、引き出されたディスクホルダ４に挿入される。このとき、引き出されたディスクホルダ４の先端のガイド部材５は、弾性部材５ｂの付勢力によって外側に開くので、挿入部４ａの間口が上下に広がることになり、ディスク３の上下方向の位置ズレがあっても、ディスク３の端部が挿入部４ａから外れることはない。
【００４３】
そして、ディスク３がディスクホルダ４に完全に収容された後、ターンテーブル７のクランプが解放され、搬送機構によって、ディスクホルダ４はそのクリップ部１ｂが被係合部２ｄに係合するまでディスクマガジン１側に引き戻される。このとき、ガイド部材５の当接部５ａがディスクマガジン１の溝１ｃに当接するので、ガイド部材５が閉じる。従って、挿入部４ａの間口が狭まった状態で、ディスクホルダ２がディスクマガジン１に収容され、ガイド部材５の当接部５ａはディスク３の端部を保持する。
【００４４】
（効果）
以上のような本実施の形態の効果は以下の通りである。すなわち、ディスクホルダ４に対するディスク挿入時には、ガイド部材５が開いて挿入部４ａの間口が上下方向に広がるので、ディスク３に上下方向の位置ズレが生じた場合であっても、ディスク３の端部が挿入部４ａから外れにくく、ディスク３を確実にディスクホルダ４に戻すことができる。従って、ディスク３が外れて装置内部に接触することによる破損等の事態が防止されるとともに、ディスク装置の信頼性が向上する。
【００４５】
また、ディスクホルダ４がディスクマガジン１に収容されているときには、ガイド部材５は閉じていて、挿入部４ａの広がりはないので、個々のディスクホルダ４が厚くならない。従って、これらのディスクホルダ４を内部に多数積層して収容するディスクホルダ１を、当該積層方向に大きく形成する必要はなく、結果としてディスク装置全体の大型化を防ぐことができる。
【００４６】
そして、ディスクホルダ４がディスクマガジン１に収容されているときには、ガイド部材５は閉じていて、その当接部５ａがディスク３を保持しているので、ディスクホルダ４内に収容されたディスク３が、振動等によって飛び出すことが防止され、装置の信頼性が向上する。
【００４７】
さらに、ガイド部材５は、弾性部材５ｂの働きによって、ディスクホルダ４がディスクマガジン１に収容されると自動的に閉じて、ディスクマガジン１から引き出されると自動的に開く。従って、特別に複雑な機構を設けることなく、開閉を実現できるので、製造コストがかからず故障も生じにくい。
【００４８】
（３）その他の実施の形態
本発明は以上のような実施の形態に限定されるものではなく、各部材の形状、数等は適宜変更可能である。例えば、ディスクホルダのディスク支持面は、上記のようなディスクの上面側に限定する必要はなく、下面側から支持するものであってもよく、上下両面側から支持するものであってもよい。上記第１の実施の形態における薄肉のガイド片２ａも、ディスクの上側には限定されず、下側若しくは上下両側に設けることも可能であり、さらに、ガイド片２ａを設けない構成とすることも可能である。
【００４９】
また、上記第２の実施の形態におけるガイド部材５における当接部５ａは、必ずしも設ける必要はなく、ガイド部材５を単純な小片によって形成してもよい。但し、弾性を有する材質の小片であれば、上記のような効果が得られる。弾性部材５ｂは、樹脂製であっても金属製であってもよい。そして、上記第２の実施の形態において、ディスクホルダ４の挿入部４ａを二カ所有しているが、ガイド部材５はその双方に取り付けた方が、よりディスク挿入の確実性は増す。さらに、ガイド部材５は、ディスクホルダ４を引き出す機構によって、強制的に広げられる構成としてもよい。
【００５０】
また、上記第１の実施の形態における挿入部２ａに、第２の実施の形態におけるガイド部材５を設けることによって、第１の実施の形態のディスク装置と第２の実施の形態のディスクマガジンとを組み合わせ、更にディスク挿入の確実性を図った発明も構成可能である。
【００５１】
また、ディスクマガジンが収容できるディスクホルダの数は、上記の実施の形態の図面で示した数に限定されるものではなく、設計時に自由に増減変更可能である。このディスクマガジン内へのディスクホルダの収容構造は、溝に挿入するものに限定されるものではない。そして、ディスクマガジンのクリップ部とディスクホルダの非係合部の形状も、上記実施の形態に限定されるものではない。さらに、本発明は、ディスクマガジンを有しないディスク装置にも適用可能である。例えば、ディスク装置内にディスクホルダのガイド溝を形成し、このガイド溝に挿入されたディスクホルダから、ディスクを出し入れする構成とすることも可能である。この場合のディスクホルダの挿入数も、１枚であっても、２枚以上であってもよい。
【００５２】
また、ディスク装置の再生手段は、記録手段若しくは記録再生手段であってもよく、搬送機構等のディスク装置の他の機構や電子回路等も、公知のものを自由に適用可能である。例えば、上記実施の形態においては、ディスクをディスクホルダから出し入れする際に、ディスクホルダ側が移動することにより、ディスクがディスクホルダから相対的に引き出される構成となっているが、ディスク側が移動する構成の装置であってもよく、双方が移動する構成の装置であってもよい。さらに、本発明に使用されるディスクは、円板状の記録媒体であれば、その大きさは問わず、どのようなディスクであっても適用可能である。
【００５３】
【発明の効果】
以上説明した通り、本発明によれば、装置を大型化することなく、再生又は記録位置にあるディスクを確実にディスクホルダに戻すことが可能なディスク装置を提供することができる。
【００５４】
また、本発明によれば、ディスク挿入を確実に行うことができ、大型にならないディスクホルダを提供することができる。
【図面の簡単な説明】
【図１】本発明のディスク装置の第１の実施の形態におけるディスクマガジンを示す側面断面図である。
【図２】図１のディスクマガジンの正面図である。
【図３】本発明の第１の実施の形態の動作過程における再生待機状態を示す平面透視図である。
【図４】本発明の第１の実施の形態の動作過程における再生待機状態を示す側面断面図である。
【図５】本発明の第１の実施の形態の搬送機構のプレートを示す側面図である。
【図６】図５のプレートの平面図である。
【図７】本発明の第１の実施の形態の動作過程におけるディスク搬送状態を示す側面断面図である。
【図８】本発明の第１の実施の形態の動作過程におけるディスク再生状態を示す側面断面図である。
【図９】本発明の第１の実施の形態の動作過程におけるディスク搬送状態を示す平面透視図である。
【図１０】本発明の第１の実施の形態の動作過程におけるディスク再生状態を示す平面透視図である。
【図１１】本発明の実施の形態の動作手順を示すフローチャートである。
【図１２】本発明のディスクホルダの第２の実施の形態を示す下面図である。
【図１３】図１２の実施の形態を示す側面断面図である。
【符号の説明】
１…ディスクマガジン
１ａ…開口部
１ｂ…クリップ部
１ｃ…溝
２，４…ディスクホルダ
２ａ…ガイド片
２ｂ，４ｂ…把持部
２ｃ，４ｃ…ストッパ
２ｄ，４ｄ…被係合部
２ｅ，４ｅ…切欠部
３…ディスク
４ａ…挿入部
５…ガイド部材
５ａ…当接部
５ｂ…弾性部材
６…筐体
７…ターンテーブル
８…クランパー
【図１】
0003566480.tif 000002
【図２】
0003566480.tif 000003
【図３】
0003566480.tif 000004
【図４】
0003566480.tif 000005
【図５】
0003566480.tif 000006
【図６】
0003566480.tif 000007
【図７】
0003566480.tif 000008
【図８】
0003566480.tif 000009
【図９】
0003566480.tif 000010
【図１０】
0003566480.tif 000011
【図１１】
0003566480.tif 000012
【図１２】
0003566480.tif 000013
【図１３】
0003566480.tif 000014